(57)【要約】      （修正有）【課題】端子が突起部を有する場合において端子の突起部が壁部に接触して白化してしまうことを防止することができるヒューズユニットの保護カバーを提供する。【解決手段】バッテリポストに電気的に接続され、バッテリからの電力を複数の機器に供給すると共にヒューズ１３ａ〜１３ｅを搭載した複数の経路を有し、これら経路のうちの１つである第５ボルト端子１５ｅにボルト締めされて突起部２０ａを有した端子２０が接続されるヒューズユニット１に対して、スライド嵌合されて当該ヒューズユニット１を覆う保護カバーであって、ヒューズユニット１を覆う壁部の内側に第１リブを有し、第１リブは、スライド嵌合後において壁部が位置する領域に、端子２０の突起部２０ａが位置している場合、当該スライド嵌合過程において突起部２０ａに当接する箇所に設けられている。【選択図】図１
2015222630.tif 000002
【特許請求の範囲】
【請求項１】
バッテリポストに電気的に接続され、バッテリからの電力を複数の機器に供給すると共にヒューズを搭載した複数の経路を有し、これら経路のうち少なくとも１つにボルト締めされて突起部を有した端子が接続されるヒューズユニットに対して、スライド嵌合されて当該ヒューズユニットを覆う保護カバーであって、
前記ヒューズユニットを覆う壁部の内側にリブを有し、
前記リブは、スライド嵌合後において前記壁部が位置する領域に、前記端子の前記突起部が位置している場合、当該スライド嵌合過程において前記突起部に当接する箇所に設けられている
ことを特徴とするヒューズユニットの保護カバー。
【請求項２】
前記ヒューズユニットを覆う前記壁部の内側に第２リブを有し、
前記第２リブは、スライド嵌合後において前記突起部を挟む前記リブと反対側となる箇所に設けられると共に、前記端子がボルトを中心に回動する際に前記突起部が位置し得る円弧領域と重複する箇所に設けられている
ことを特徴とする請求項１に記載のヒューズユニットの保護カバー。
【発明の詳細な説明】
【技術分野】
【０００１】
本発明は、バッテリポストに電気的に接続され、バッテリからの電力を複数の機器に供給すると共にヒューズが搭載された複数の経路を有したヒューズユニットの保護カバーに関する。
【背景技術】
【０００２】
従来、バッテリポストに電気的に接続され、バッテリからの電力を複数の機器に供給すると共にヒューズが搭載された複数の経路を有したヒューズユニットが提案されている。このヒューズユニットには、ボルト締めによってＬＡ端子が経路に接続されるものがある。また、このようなヒューズユニットには、保護カバーが設けられるようになっている（例えば特許文献１参照）。
【０００３】
ここで、ヒューズユニットに接続されるＬＡ端子には、突起部を有するものがある。ＬＡ端子は、ボルト締めにより接続されることから、ナットが弛むことによって外れてしまう可能性がある。そこで、ＬＡ端子に突起部を設け、この突起部が保護カバーに接触することにより、ＬＡ端子の回転を阻止することが考えられる。
【先行技術文献】
【特許文献】
【０００４】
【特許文献１】特開２００８−１４６８８０号公報
【発明の概要】
【発明が解決しようとする課題】
【０００５】
一方で、ＬＡ端子はボルト締めによって締結される関係上、ボルト回転方向に回動した状態で取り付けられることがある。そして、この回転量が過剰となると、保護カバーをヒューズユニットに嵌める前の状態において、突起部が保護カバーに接触するような箇所に位置していることがある。よって、このような突起部が過剰回転している状態で保護カバーを嵌めた場合には、突起部が保護カバーに常時接触することとなり、保護カバーの壁部の白化を招いてしまう。
【０００６】
さらに、突起部が保護カバーに常時接触しなくとも、保護カバーの外側から内側に向けて外力が加わった場合（例えば、保護カバーをヒューズユニットに取り付ける際に保護カバーのＬＡ端子近傍部分を保持している場合や、バッテリのメンテナンス時にユーザ又は作業者が保護カバーに触れる場合）には、保護カバー壁部が撓んでＬＡ端子の突起部に接触することがあり、この際にも保護カバーの壁部の白化を招いてしまう可能性があった。
【０００７】
なお、この問題は、突起部を有するＬＡ端子が取り付けられるヒューズユニットを覆う保護カバーに限らず、突起部を有してボルト締めされるクワ型端子など、他の端子が接続されるヒューズユニットを覆う保護カバーにも共通する問題である。
【０００８】
本発明は、このような問題を解決するものであり、その目的とするところは、端子が突起部を有する場合において端子の突起部が壁部に接触して白化してしまうことを防止することができるヒューズユニットの保護カバーを提供することにある。
【課題を解決するための手段】
【０００９】
本発明に係るヒューズユニットの保護カバーは、バッテリポストに電気的に接続され、バッテリからの電力を複数の機器に供給すると共にヒューズを搭載した複数の経路を有し、これら経路のうち少なくとも１つにボルト締めされて突起部を有した端子が接続されるヒューズユニットに対して、スライド嵌合されて当該ヒューズユニットを覆う保護カバーであって、前記ヒューズユニットを覆う壁部の内側にリブを有し、前記リブは、スライド嵌合後において前記壁部が位置する領域に、前記端子の前記突起部が位置している場合、当該スライド嵌合過程において前記突起部に当接する箇所に設けられていることを特徴とする。
【００１０】
本発明に係るヒューズユニットの保護カバーによれば、リブは、スライド嵌合後において壁部が位置する領域に、端子の突起部が位置している場合、当該スライド嵌合過程において突起部に当接する箇所に設けられている。このため、ボルト締めによって端子の回転量が過剰となり、突起部が壁部に接触するように位置していたとしても、スライド嵌合時に突起部がリブに当接して、スライド嵌合の完了を阻止することとなる。故に、保護カバーは、突起部が壁部に接触しないように位置していない限り、スライド嵌合させることができず、保護カバーの白化を防止することができる。加えて、保護カバーの外側から内側に向けて外力が加わったとしても、応力がリブに分散されることとなり、保護カバーが突起部に接触し難くなって保護カバーの白化を防止することができる。
【００１１】
また、本発明に係るヒューズユニットの保護カバーにおいて、前記ヒューズユニットを覆う壁部の内側に第２リブを有し、前記第２リブは、スライド嵌合後において前記突起部を挟む前記リブと反対側となる箇所に設けられると共に、前記端子がボルトを中心に回動する際に前記突起部が位置し得る円弧領域と重複する箇所に設けられていることが好ましい。
【００１２】
このコネクタによれば、第２リブが、スライド嵌合後において突起部を挟むリブと反対側となる箇所に設けられているため、リブと第２リブとによって突起部が挟まれることとなる。これにより、保護カバーのスライド嵌合後において端子が回転しようとしても一方の回転方向にはリブが位置して一定以上の回転を阻止することとなる。また、他方の回転方向には、端子回動時に突起部が位置し得る円弧領域と重複する箇所に設けられた第２リブが存在して所定以上の回転を阻止することとなる。よって、端子の回転に伴うナットの弛みが抑制され、端子が外れてしまうことを防止することができる。加えて、第２リブが存在することにより、保護カバーの外側から内側に向けて外力が加わったとしても、応力が第２リブにも分散されることとなり、一層保護カバーの白化を防止することができる。
【発明の効果】
【００１３】
本発明によれば、端子の突起部が壁部に接触して白化してしまうことを防止することができるヒューズユニットの保護カバーを提供することができる。
【図面の簡単な説明】
【００１４】
【図１】本発明の実施形態に係る保護カバーに覆われるヒューズユニットを示す斜視図であり、一面側を示している。
【図２】本発明の実施形態に係る保護カバーに覆われるヒューズユニットを示す斜視図であり、他面側を示している。
【図３】本実施形態に係る保護カバーを示す斜視図である。
【図４】本実施形態に係る保護カバーを示す平面図である。
【図５】本実施形態に係る保護カバーにより覆われるヒューズユニットの第５ボルト端子への端子の接続状態を示す平面図であり、（ａ）は第１の例を示し、（ｂ）は第２の例を示している。
【図６】本実施形態に係る保護カバーによりヒューズユニットを覆った状態における第５ボルト端子への端子の接続状態を示す平面図であり、（ａ）は第１の例を示し、（ｂ）は第２の例を示している。
【発明を実施するための形態】
【００１５】
以下、本発明を好適な一実施形態に沿って説明するが、本発明は以下に示す実施形態に限られるものではなく、本発明の趣旨を逸脱しない範囲において適宜変更可能である。
【００１６】
まず、本実施形態に係る保護カバーを説明するに先立って、保護カバーにより覆われるヒューズユニットを説明する。図１及び図２は、本発明の実施形態に係る保護カバーに覆われるヒューズユニットを示す斜視図である。
【００１７】
図１及び図２に示すように、ヒューズユニット１は、所定の形状に打ち抜き及び折り曲げ形成された金属板を樹脂材料によりインサート成形したものであって、概略的にバッテリ側端子１１と、ヒューズ群１３と、ボルト端子群１５とを備えている。このようなヒューズユニット１において、バッテリ側端子１１は経路が分岐されてヒューズ群１３の各ヒューズ１３ａ〜１３ｅに接続されると共に、各ヒューズ１３ａ〜１３ｅを介してボルト端子群１５のそれぞれのボルト端子１５ａ〜１５ｅまで接続されている。樹脂材料は、バッテリ側端子１１、ヒューズ群１３、及びボルト端子群１５に対応する部分を露出させ、残部を覆う構成となっている。
【００１８】
バッテリ側端子１１は、バッテリ端子（不図示）を介してバッテリポスト（不図示）に電気的に接続されるものであり、バッテリの電力を受け入れる電力導入部分となる部位である。バッテリ側端子１１は、ヒューズユニット１の本体部１ａに対して垂直に立ち上げられており、先端部にはバッテリ端子とボルト締めにより接続される丸型の貫通孔１１ａが形成されている。
【００１９】
ヒューズ群１３は、複数（本実施形態において５つ）のヒューズ１３ａ〜１３ｅにより構成されている。複数のヒューズ１３ａ〜１３ｅそれぞれは、過電流が流れたときに、それぞれの縮幅部１３ａ１〜１３ｅ１を溶断する構成となっている。特に、第１〜第４ヒューズ１３ａ〜１３ｄには、縮幅部１３ａ１〜１３ｄ１上に、錫等の溶解し易い溶解金属１３ｆが設けられており、過電流が流れた際に縮幅部１３ａ１〜１３ｄ１の溶断を支援する構造となっている。
【００２０】
ボルト端子群１５は、複数（本実施形態において５つ）のボルト端子１５ａ〜１５ｅにより構成されている。第１〜第４ボルト端子１５ａ〜１５ｄは、本体部１ａに対して垂直方向に突設しており、第５ボルト端子１５ｅは、本体部１ａを含む平面に沿った方向に突設している。各ボルト端子１５ａ〜１５ｅには、ＬＡ端子などの端子２０がボルト締めによって接続されるようになっている。
【００２１】
ここで、上記した第５ボルト端子１５ｅに接続される端子２０には、突起部２０ａが形成されている。この突起部２０ａは、端子２０の回動によりナットが弛み端子２０が第５ボルト端子１５ｅから外れてしまうことを防止する回動阻止用突起であり、端子２０の平面部から、この平面に沿って突設している。そして、後述する保護カバー２によりヒューズユニット１を覆った場合において、端子２０が回動しようとすると突起部２０ａが所定箇所に接触して、その回動が防止されるようになっている。
【００２２】
図３は、本実施形態に係る保護カバー２を示す斜視図であり、図４は、本実施形態に係る保護カバー２を示す平面図である。図３及び図４に示すように、保護カバー２は、側面視して略Ｌ形状となっており、樹脂材料により構成され、ヒューズユニット１のバッテリ取付時においてヒューズユニット１の外側（バッテリと反対側）部位を覆う構造となっている。
【００２３】
このような保護カバー２は、バッテリ側端子１１を覆う第１カバー部２１と、ヒューズ群１３及び第１〜第４ボルト端子１５ａ〜１５ｄを覆う第２カバー部２２と、第５ボルト端子１５ｅを覆う第３カバー部２３とから構成されている。第１〜第５ボルト端子１５ａ〜１５ｅは、それぞれが第２カバー部２２又は第３カバー部２３の内壁２２ａ，２３ａの方向に向いており、ボルト端子１５ａ〜１５ｅという電気接続部が保護されるように保護カバー２が取り付けられる。また、保護カバー２は、図３及び図４に示す矢印Ａ方向にスライド嵌合される構成となっている。保護カバー２には、スライド嵌合の完了時においてヒューズユニット１の抜けを防止する引っ掛け部等が適宜形成されている。
【００２４】
さらに、本実施形態に保護カバー２は、第３カバー部２３の内壁２３ａに第１リブ（リブ）２３ｂ及び第２リブ２３ｃが形成されている。第１及び第２リブ２３ｃ、２３ｃは、図３及び図４に示すように、スライド嵌合方向Ａに沿った突条として形成されており、互いに平行となっている。
【００２５】
次に、本実施形態に係る保護カバー２の作用及び取り付け時の様子を説明する。図５は、本実施形態に係る保護カバー２により覆われるヒューズユニット１の第５ボルト端子１５ｅへの端子２０の接続状態を示す平面図であり、（ａ）は第１の例を示し、（ｂ）は第２の例を示している。なお、図５において端子２０を固定するためのナットについては、端子２０の接続状態を分かり易く示す関係上、図示を省略している。
【００２６】
図５に示す端子２０には、第５ボルト端子１５ｅに当該端子２０を取り付けるための貫通孔２０ｂが形成されている。作業者は、この貫通孔２０ｂに第５ボルト端子１５ｅを挿通させ、その後螺子切りされた第５ボルト端子１５ｅにナットを取り付けて端子２０を固定する。
【００２７】
ナットは螺子切りされた第５ボルト端子１５ｅに対して図５に示す回転方向Ｂに回転させられて取り付けられる。このため、端子２０についても回転方向Ｂに回転した状態で取り付けられることがある。ここで、図５に示す破線部は保護カバー２のスライド嵌合後において保護カバー２の壁部２ａが位置する領域Ｔ１及び第１及び第２リブ２３ｂ，２３ｃが位置する領域Ｔ２を示している。
【００２８】
図５（ａ）に示すように、端子２０が回転方向に回転した状態で取り付けられた場合、その回転量が過剰となると壁部２ａが位置する領域Ｔ１に突起部２０ａが位置してしまうことがある。このような状態において、保護カバー２がスライド嵌合させられると、保護カバー２が外側に撓んだ状態で嵌合してしまうこととなり、突起部２０ａが常時内壁２３ａに接触することとなり、保護カバー２の壁部２ａの白化を招いてしまう。
【００２９】
また、図５（ｂ）に示すように、回転量が過剰となっていなかったとしても、保護カバー２をヒューズユニット１に取り付ける際に保護カバー２の端子２０の近傍部分を保持している場合や、バッテリのメンテナンス時にユーザ又は作業者が保護カバー２に触れる場合には、保護カバー２の外側から内側に向けて外力が加わり、保護カバー２の壁部２ａが撓んで端子２０の突起部２０ａに接触することがあり、この際にも保護カバー２の壁部２ａの白化を招いてしまう。
【００３０】
しかし、図５（ａ）に示すように、スライド嵌合後において壁部２ａが位置する領域Ｔ１に端子２０の突起部２０ａが位置している場合において、第１リブ２３ｂは、当該スライド嵌合過程において突起部２０ａに当接する箇所に設けられている（すなわち領域Ｔ２に位置する）。このため、突起部２０ａが壁部２ａに接触するように位置していたとしても、スライド嵌合時に突起部２０ａが第１リブ２３ｂに当接して、スライド嵌合の完了を阻止することとなる。よって、保護カバー２は、突起部２０ａが壁部２ａに接触しないように位置していない限り、スライド嵌合させることができず、保護カバー２の白化を防止することとなる。
【００３１】
加えて、第１及び第２リブ２３ｂ，２３ｃを設けていることから、保護カバー２の外側から内側に向けて外力が加わったとしても、応力が第１及び第２リブ２３ｂ，２３ｃに分散されることとなり、保護カバー２が突起部２０ａに接触し難くなって保護カバー２の白化を防止することとなる。
【００３２】
図６は、本実施形態に係る保護カバー２によりヒューズユニット１を覆った状態における第５ボルト端子１５ｅへの端子２０の接続状態を示す平面図であり、（ａ）は第１の例を示し、（ｂ）は第２の例を示している。なお、図６において端子２０を固定するためのナットについては、端子２０の接続状態を分かり易く示す関係上、図示を省略している。
【００３３】
端子２０は、突起部２０ａと第１リブ２３ｂとが接触することなく適正に保護カバー２が取り付けられたとしても、その後車両振動等によって第５ボルト端子１５ｅを中心として回動してしまうことがある。
【００３４】
しかし、図６（ａ）に示すように、突起部２０ａは、その角部２０ｃが第１リブ２３ｂの側壁に接触しており、これ以上の回動が阻止されることとなる。このため、回転方向Ｂには第１リブ２３ｂが位置して一定以上の回転を阻止することとなり、これ以上端子２０の回転に伴うナットの弛み（詳細には回転方向Ｂの回転した後に回転方向Ｃに戻る際のナットの弛み）が抑制されることとなる。
【００３５】
さらに、図６（ｂ）に示すように、第２リブ２３ｃは、スライド嵌合後において突起部２０ａ（端子２０の回転量が零であるときの突起部２０ａ）を挟む第１リブ２３ｂと反対側となる箇所に設けられている。加えて、第２リブ２３ｃは、端子２０が第５ボルト端子（ボルト）１５ｅを中心に回動する際に突起部２０ａが位置し得る円弧領域Ｒと重複する箇所に設けられている。よって、回転方向Ｂと逆方向の回転方向Ｃに端子２０が回動したとしても、突起部２０ａは、その角部２０ｄが第２リブ２３ｃの側壁に接触することとなる。これにより、回転方向Ｃにおける端子２０の回転に伴うナットの弛みについても抑制されることとなる。
【００３６】
このようにして、本実施形態に係るヒューズユニット１の保護カバー２によれば、第１リブ２３ｂは、スライド嵌合後において壁部２ａが位置する領域Ｔ１に、端子２０の突起部２０ａが位置している場合、当該スライド嵌合過程において突起部２０ａに当接する箇所に設けられている。このため、ボルト締めによって端子２０の回転量が過剰となり、突起部２０ａが壁部２ａに接触するように位置していたとしても、スライド嵌合時に突起部２０ａが第１リブ２３ｂに当接して、スライド嵌合の完了を阻止することとなる。故に、保護カバー２は、突起部２０ａが壁部２ａに接触しないように位置していない限り、スライド嵌合させることができず、保護カバー２の白化を防止することができる。加えて、保護カバー２の外側から内側に向けて外力が加わったとしても、応力が第１リブ２３ｂに分散されることとなり、保護カバー２が突起部２０ａに接触し難くなって保護カバー２の白化を防止することができる。
【００３７】
また、第２リブ２３ｃが、スライド嵌合後において突起部２０ａを挟む第１リブ２３ｂと反対側となる箇所に設けられているため、第１リブ２３ｂと第２リブ２３ｃとによって突起部２０ａが挟まれることとなる。これにより、保護カバー２のスライド嵌合後において端子２０が回転しようとしても一方の回転方向には第１リブ２３ｂが位置して一定以上の回転を阻止することとなる。また、他方の回転方向には、端子回動時に突起部２０ａが位置し得る円弧領域Ｒと重複する箇所に設けられた第２リブ２３ｃが存在して所定以上の回転を阻止することとなる。よって、端子２０の回転に伴うナットの弛みが抑制さえ、端子２０が外れてしまうことを防止することができる。加えて、第２リブ２３ｃが存在することにより、保護カバー２の外側から内側に向けて外力が加わったとしても、応力が第２リブ２３ｃにも分散されることとなり、一層保護カバー２の白化を防止することができる。
【００３８】
以上、実施形態に基づき本発明を説明したが、本発明は上記実施形態に限られるものではなく、本発明の趣旨を逸脱しない範囲で、変更を加えてもよい。
【００３９】
例えば、上記実施形態において第１及び第２リブ２３ｂ、２３ｃは、突起部２０ａが僅かに接触しても支障がない範囲であれば、スライド嵌合が円滑となるようにテーパ面等を有していてもよい。さらに、端子２０の突起部２０ａは回転防止目的に設けられたものでなく、例えば製造上の都合や部品共通化等の観点から設けられているものであっても、上記に示す効果を奏するものであれば、回転防止目的に意図的に設けられたものでなくともよい。
【００４０】
また、突起部２０ａは、端子２０の平面部から端子２０の側方へ突設しているが、これに限らず、端子２０の先端方向へ突設していてもよいし、端子２０の平面部に対して所定の角度を有して突設していてもよい。
【符号の説明】
【００４１】
１          ：ヒューズユニット
１ａ        ：本体部
２          ：保護カバー
２ａ        ：壁部
１１        ：バッテリ側端子
１１ａ      ：貫通孔
１３        ：ヒューズ群
１３ａ〜１３ｅ      ：ヒューズ
１３ａ１〜１３ａ５    ：縮幅部
１３ｆ      ：溶解金属
１５        ：ボルト端子群
１５ａ〜１５ｅ      ：ボルト端子
２０        ：端子
２０ａ      ：突起部
２０ｂ      ：貫通孔
２０ｃ      ：角部
２０ｄ      ：角部
２１        ：第１カバー部
２２        ：第２カバー部
２２ａ      ：内壁
２３        ：第３カバー部
２３ａ      ：内壁
２３ｂ      ：第１リブ
２３ｃ      ：第２リブ
Ａ          ：スライド嵌合方向
Ｂ          ：回転方向
Ｃ          ：回転方向
Ｔ１        ：領域
Ｔ２        ：領域
Ｒ          ：円弧領域
【図１】
2015222630.tif 000003
【図２】
2015222630.tif 000004
【図３】
2015222630.tif 000005
【図４】
2015222630.tif 000006
【図５】
2015222630.tif 000007
【図６】
2015222630.tif 000008